(57)【要約】      （修正有）【課題】災害時に不足する水の確保と飲料水に浄水できて、平常時に散水設備として共用できる浄水システムを提供する。【解決手段】浄水システムは、通常時は原水槽３に雨水１を、雨水枯渇時は水道水２を原水槽３に供給し、緊急用浄水装置４と簡易ろ過装置７とを接続する原水流路１３、簡易ろ過装置７、加圧ポンプ８と散水設備１０と浄水装置１１と接続する簡易浄水流路９で、主に構成されている。【選択図】図１
0003233953.tif 000002
【実用新案登録請求の範囲】
【請求項１】
浄化した水を浄水使用場所に供給するための浄水システムであって、
原水槽、緊急用浄水装置及び浄水装置を備え、原水槽は雨水を貯水し、貯水した雨水の量が設定水位より低下した時点で水道水を自動供給する機構を有し、
該原水槽から直接に緊急浄水装置へ通水後浄水を取水する機構又はろ過装置を介して浄水装置へ通水する機構若しくは浄水装置へ通水することなく取水する機構を備えることを特徴とする浄水システム。
【請求項２】
逆浸透膜を備えた緊急用浄水装置又は浄水装置に仕切弁を介して通水し、飲用上水を得ることを特徴とする請求項１に記載の浄水システム。
【考案の詳細な説明】
【技術分野】
【０００１】本発明は浄化した水を浄化水使用場所に供給するための浄水システムに関するものである。
【背景技術】
【０００２】洪水や地震など災害の発生の増加や水源水質の悪化などにより生活水を浄化して再利用し、限りある資源を近年の環境問題の改善等、有効活用する気運が高まっている。【０００３】特許文献１には、市水道が停止した場合にも膜処理装置を使用して浄水し、
発生する濃縮水を排水せずに貯水し再利用する循環使用システムが開示されている。【０００４】特許文献２には、太陽電池と逆浸透膜を用いた災害対応の小型の浄水装置が開示されている。【０００５】特に近年の災害においては大規模な災害が広範囲で同時に発生し、道路が寸断されるなどして、すぐに支援が受けられない場合があるため、世帯ごとに備えをすることが  必要であると考えられる。その中でも水は大量に飲用だけでなく洗浄などの生活水としても必要不可欠なためその需要は高いと考えられる。
【先行技術文献】
【特許文献】
【０００６】
【特許文献１】特開２０１５−２１３８９３号  公報
【特許文献２】特開２０１９−１２２９４４号  公報
【考案の概要】
【考案が解決しようとする課題】
【０００７】特許文献１では災害時に使用することを前提としているため、平常時は雨水及び濃縮水の循環を行わない仕組みである。平常時では使用できないため、導入コストの割に利用頻度が低くコストに見合わない可能性がある。【０００８】特許文献２では災害時に使用できるものの水源を確保する必要があるため、水の溜まった場所、池や河川などを探しておく必要があり現実的にはそのような場所がなかなか無いため利便性に欠ける可能性がある。【０００９】そこで本考案は、一般的に排水する雨水を貯めるだけでなく、非常時に飲料水の水源として使用でき、さらに日常的に散水等の用途で使えて利便性を高めることを目的としている。
【課題を解決するための手段】
【００１０】浄化した水を浄水使用場所に供給するための浄水システムであって、
原水槽、緊急用浄水装置及び浄水装置を備え、原水槽は雨水を貯水し、貯水した雨水の量が設定水位より低下した時点で水道水を自動供給する機構を有し、
該原水槽から直接に緊急浄水装置へ通水後浄水を取水する機構又はろ過装置を介して浄水装置へ通水する機構若しくは浄水装置へ通水することなく取水する機構を備えることを特徴とする浄水システム。【００１１】前記浄水装置は、逆浸透膜を使用することで飲用の上水を供給するための流路または仕切弁を備えていること特徴とする請求項１に記載の浄水システム。
【考案の効果】
【００１２】本発明は一般的に利用されることが少ない雨水を利用し、緊急時の水源として使用できる。【００１３】雨水の供給が少ない場合には自動的に水道水を供給して使用できる。【００１４】日常的には雨水を散水用や洗車用に用いることで、水道代の削減に繋がり、
水資源の有効活用に寄与する。
【図面の簡単な説明】
【００１５】
【図１】本実施の浄水システムの構成を示した説明図である。
【考案を実施するための形態】
【００１６】以下、本実施の浄水システムについて、図１を参照して説明する。
【００１７】本発明に係る原水槽３にはシステム外から雨水１または水道水２を供給する。
【００１８】本浄水システムは、通常時は原水槽３に雨水１を、雨水枯渇時は水道水２を原水槽３に供給し、緊急用浄水装置４と簡易ろ過装置７とを接続する原水流路１３、簡易ろ過装置７、加圧ポンプ８と散水設備１０と浄水装置１１と接続する簡易浄水流路９で、主に構成されている。
【００１９】原水槽３は雨水１の取込口を備える。雨水の取込口は、屋根の雨どいと接続する構造、屋外の雨水貯留タンクと接続し得る構造など、雨水を取り込みうる構造・形状・材質であれば、その構造・形状・材質は特に限定されない。
【００２０】原水槽３は水道水２の取り込み口を備える。原水槽３内部の水位が低下した際に水位センサー１４を介して電動切換弁１５を作動させ水道水２を供給する。
【００２１】原水槽３は、貯水に適した構造と敷地内での貯水に適した容積を有するものであれば、その形状・容積・材質に制限はない。また、設置場所は、屋内、屋外に制限はない。
【００２２】原水槽は原水流路１３によって緊急用浄水装置接続切換弁６と簡易ろ過装置７に接続されている。
【００２３】緊急時に緊急用浄水装置接続切換弁６と緊急用浄水装置４と緊急用浄水装置流路５を用いて接続することで、原水槽３の水を緊急用浄水装置４に供給することができる。
【００２４】簡易ろ過装置７を加圧ポンプ８と浄水装置切換弁１２と散水設備１０は簡易浄水流路９で接続され、加圧ポンプ８によって加圧された水を供給する。
【００２５】浄水装置１１を使用する場合には浄水装置切換弁１２を開放し加圧された水を供給する。
【００２６】緊急用浄水装置４と浄水装置１１は浄水と濃縮水に分離する膜処理を用いている。これらの機能を有するものとして逆浸透膜、中空糸膜などがありえるが膜種類や形状、濾過流量に制限はない。
【００２７】簡易ろ過装置７は原水槽３内の埃や砂などの粒子を取り除くために用いるフィルターである。具体的にはディスクフィルターやセディメントフィルターなどが当てはまるが、同様の機能を有するフィルターであればその形状や種類などは問わない。
【００２８】加圧ポンプ８は散水設備１０または浄水装置１１へ供給する水の加圧用として使用するものである。
【００２９】緊急用浄水装置接続切換弁６及び浄水装置切換弁１２は、バルブ、開閉弁その他流路の連通を制御し得る構造であれば、その構造は限定されない。
【００３０】散水設備１０は加圧ポンプ８にて加圧された水を庭木への散水に用いるほか、洗車等に使用できる。散水ホースや散水ガンを含む装置であるが、その形態や種類は限定されないものである。
【００３１】以上、図面を参照して、本発明の実施の形態を詳述してきたが、具体的な構成は、この実施の形態又は実施例に限らず、本発明の要旨を逸脱しない程度の設計的変更は、本考案に含まれる。
【符号の説明】
【００３２】１            雨水
２            水道水
３            原水槽
４            緊急用浄水装置
５            緊急用浄水装置流路
６            緊急用浄水装置接続切換弁
７            簡易ろ過装置
８            加圧ポンプ
９            簡易浄水流路
１０          散水設備
１１          浄水装置
１２          浄水装置切換弁
１３          原水流路
１４          水位センサー
１５          電動切換弁
【図１】
0003233953.tif 000003